(57)【要約】【課題】高い転写効率を維持しつつコスト増を抑えることが可能なインクジェット画像形成装置および画質調整方法を提供する。【解決手段】インクジェット画像形成装置は、インクジェットヘッドから吐出されたインクを中間転写体に担持させて記録媒体に転写する転写部と、転写部によりインクが転写される際の転写率を検出する転写率検出部と、転写率検出部により検出される転写率に応じて、記録媒体に転写される際のインクの広がり方に影響を与える制御パラメーターを制御する制御部と、を備える。【選択図】図６
2020131683.tif 000002
【特許請求の範囲】
【請求項１】
インクジェットヘッドから吐出されたインクを中間転写体に担持させて記録媒体に転写する転写部と、
前記転写部により前記インクが転写される際の転写率を検出する転写率検出部と、
前記転写率検出部により検出される転写率に応じて、前記記録媒体に転写される際の前記インクの広がり方に影響を与える制御パラメーターを制御する制御部と、
を備えるインクジェット画像形成装置。
【請求項２】
前記制御部は、前記制御パラメーターとして、前記中間転写体に担持された前記インクの粘度、および、前記転写部の転写条件の少なくとも一方を制御する、
請求項１に記載のインクジェット画像形成装置。
【請求項３】
前記中間転写体で担持された前記インクの粘度を前記転写部の上流側で調整する粘度調整部と、
前記転写部の転写圧を調整する転写圧調整部と、を備え、
前記制御部は、前記制御パラメーターとして、前記粘度調整部の出力または前記転写圧調整部の転写圧の少なくとも一方を制御する、
請求項１または２に記載のインクジェット画像形成装置。
【請求項４】
前記制御部は、前記中間転写体に粘度の異なる複数のテストパターンを担持させるように前記粘度調整部の出力を制御し、
前記転写率検出部は、前記テストパターンを構成するインクの転写率を検出する、
請求項３に記載のインクジェット画像形成装置。
【請求項５】
前記転写率検出部は、前記中間転写体から第１の記録媒体に転写されたインクの転写率を検出し、
前記制御部は、前記転写率検出部により検出された転写率に応じて、前記中間転写体から第２の記録媒体に転写されるインクの前記転写率が閾値を超えるように、前記制御パラメーターを制御する、
請求項４に記載のインクジェット画像形成装置。
【請求項６】
前記転写率検出部は、前記中間転写体から前記記録媒体に転写されたインクの濃度から前記転写率を検出する、
請求項１から５のいずれかに記載のインクジェット画像形成装置。
【請求項７】
前記転写率検出部は、前記転写部の下流側における前記中間転写体の残インクの濃度から前記転写率を検出する、
請求項１から５のいずれかに記載のインクジェット画像形成装置。
【請求項８】
前記転写率検出部は、濃度測定センサーを有し、前記濃度測定センサーにより測定されたインクの濃度から前記転写率を検出する、
請求項６または７に記載のインクジェット画像形成装置。
【請求項９】
前記粘度調整部は、前記中間転写体に供給するエネルギー量を変えることによって前記インクの粘度を調整する、
請求項３から５のいずれかに記載のインクジェット画像形成装置。
【請求項１０】
前記粘度調整部は、前記中間転写体に照射するＵＶ光量を変えることによって前記インクの粘度を調整する、
請求項９に記載のインクジェット画像形成装置。
【請求項１１】
前記粘度調整部は、前記中間転写体に供給する熱量を変えることによって前記インクの粘度を調整する、
請求項９に記載のインクジェット画像形成装置。
【請求項１２】
前記インクは、活性エネルギー線を供給することによって増粘するインクである、
請求項１から１１のいずれかに記載のインクジェット画像形成装置。
【請求項１３】
前記インクは、溶媒として水を含むインクである、
請求項１から１１のいずれかに記載のインクジェット画像形成装置。
【請求項１４】
前記制御部は、前記制御パラメーターの制御を、印刷ジョブを実行していない期間に実行する、
請求項１から１３のいずれかに記載のインクジェット画像形成装置。
【請求項１５】
インクジェットヘッドから吐出されたインクを中間転写体に担持させて転写部で記録媒体に転写するインクジェット画像形成装置における画質調整方法であって、
前記転写部により前記インクが転写される際の転写率を検出し、
検出された転写率に応じて、前記記録媒体に転写される際の前記インクの広がり方に影響を与える制御パラメーターを制御する、
画質調整方法。
【発明の詳細な説明】
【技術分野】
【０００１】
本発明は、インクジェット画像形成装置および画質調整方法に関する。
【背景技術】
【０００２】
近年、紙、布帛等の種々の記録媒体に対して高精細な画像を記録する装置として、インクジェット方式による画像形成装置（以下、インクジェット画像形成装置という）が広く普及している。
【０００３】
近年、インクジェット画像形成装置では、低コスト化を図るために、インクジェットヘッドからのインク吐出量ひいては記録媒体へのインク付着量を出来るだけ抑えることが求められている。しかしながら、かかるインク付着量を減らした場合、ベタ画像の印刷において隠蔽率が低下してベタムラが発生する問題がある。
【０００４】
この問題に対し、インクジェットヘッドから吐出された球状の液滴を記録媒体上で扁平化する（広げる）ことができれば、隠蔽率の低下を解消することができる。一方、このような方法とした場合、インク粘度によっては（特にインク粘度が低い場合）、記録媒体へのインク滲みが発生するおそれがある。
【０００５】
上記問題に対処するため、インクジェットヘッドから吐出されるインクによる画像を中間転写ベルトなどの中間転写体に一旦担持させ、かかる画像を記録媒体に転写する中間転写方式のインクジェット画像形成装置が提案されている（例えば特許文献１を参照）。
【先行技術文献】
【特許文献】
【０００６】
【特許文献１】特開２０１８−１２２５０３号公報
【発明の概要】
【発明が解決しようとする課題】
【０００７】
ところで、一般に、中間転写方式のインクジェット画像形成装置は、中間転写体にインクドット（画像）を形成し、かかる中間転写体にＵＶなどの活性エネルギー線を照射することでインクのプレ硬化（増粘）処理を行い、その後に転写ニップで当該画像を記録媒体（用紙等）に転写する処理を行う。このため、中間転写方式の装置では、中間転写体の状態、インクの硬化状態、記録媒体の種類や転写条件（転写圧など）により、転写状態が変わる。特に、転写効率が変わると、転写残インクの発生による損失が増加する、あるいは画像濃度が変動する、等の問題が発生する。
【０００８】
かかる問題に関し、特許文献１記載の技術では、中間転写体への転写残インクの量に応じて、転写性向上液の付与量を調整する構成が採用されている。しかしながら、特許文献１記載の技術では、転写性向上液を付与するため、コスト増の問題がある。
【０００９】
本発明の目的は、高い転写効率を維持しつつコスト増を抑えることが可能なインクジェット画像形成装置および画質調整方法を提供することである。
【課題を解決するための手段】
【００１０】
本発明に係るインクジェット画像形成装置は、
インクジェットヘッドから吐出されたインクを中間転写体に担持させて記録媒体に転写する転写部と、
前記転写部により前記インクが転写される際の転写率を検出する転写率検出部と、
前記転写率検出部により検出される転写率に応じて、前記記録媒体に転写される際の前記インクの広がり方に影響を与える制御パラメーターを制御する制御部と、
を備える。
【００１１】
本発明に係る画質調整方法は、
インクジェットヘッドから吐出されたインクを中間転写体に担持させて転写部で記録媒体に転写するインクジェット画像形成装置における画質調整方法であって、
前記転写部により前記インクが転写される際の転写率を検出し、
検出された転写率に応じて、前記記録媒体に転写される際の前記インクの広がり方に影響を与える制御パラメーターを制御する。
【発明の効果】
【００１２】
本発明によれば、高い転写効率を維持しつつコスト増を抑えることができる。
【図面の簡単な説明】
【００１３】
【図１】本実施の形態におけるインクジェット画像形成装置の概略構成図である。
【図２】図１のインクジェット画像形成装置の主要な機能構成を示すブロック図である。
【図３】通常の印刷ジョブ実行時における処理を説明するフローチャートである。
【図４】転写前におけるＵＶ照射光量と転写後に検出されるインク像の濃度との関係を示す特性グラフである。
【図５】用紙に印字されるパッチ画像およびＵＶ照射条件の一例を説明する図である。
【図６】画質調整に関する処理の一例を示すフローチャートである。
【発明を実施するための形態】
【００１４】
以下、本実施の形態におけるインクジェット画像形成装置について、図面を参照して詳細に説明する。図１は、本実施の形態に係るインクジェット画像形成装置１の概略構成を示す図である。また、図２は、インクジェット画像形成装置１の主要な機能構成を示すブロック図である。
【００１５】
インクジェット記録装置１は、インクジェットヘッド１０２（図２を参照）が搭載されたヘッドユニット１０と、像担持体または中間転写体としての転写ベルト２０と、転写ベルト２０を回転可能に張架する従動ローラー２１，２２および駆動ローラーとしての転写ローラー２３と、記録媒体Ｐを搬送する搬送ドラム２４と、装置全体の制御を行う制御部４０（図２を参照）と、を備える。
【００１６】
また、インクジェット記録装置１は、転写ベルト２０に吐出されたインクの粘度を調整する第１ＵＶ照射部２５と、記録媒体Ｐに転写されたインクを硬化させる第２ＵＶ照射部２６と、転写ベルト２０をクリーニングするクリーニング部２７と、濃度測定センサー３０と、転写ローラー２３および搬送ドラム２４等の各部を駆動する搬送駆動部５１（図２を参照）と、を備える。上記のうち、第１ＵＶ照射部２５は、本発明の「粘度調整部」に対応する。また、濃度測定センサー３０および制御部４０は、本発明の「転写率検出部」に対応する。
【００１７】
なお、図示しないが、インクジェット記録装置１は、記録媒体Ｐを積載して搬送ドラム２４に給送する給送部、画像が転写された記録媒体Ｐを搬送ドラム２４の搬送方向下流側に排出する排出部、装置の状態を表示する表示部、等を備える。これらは公知の構成であるため、図示および説明を省略する。また、記録媒体Ｐとしては、普通紙や塗工紙といった紙のほか、布帛またはシート状の樹脂等、表面に着弾したインクを定着させることが可能な種々の媒体を用いることができる。
【００１８】
転写ベルト２０は、上方に配置された従動ローラー２１，２２および下方に配置された転写ローラー２３に架け渡されており、搬送駆動部５１の転写モーター（図示せず）の駆動力が転写ローラー２３に伝達されることにより、図１中の時計方向に回転する。一具体例として、転写ベルト２０は、ポリイミド（ＰＩ）の基材上に、シリコンゴムの弾性層と、アルミニウム（Ａｌ）が蒸着された反射層と、ポリプロピレン（ＰＰ）の表層と、が積層された無端ベルトが用いられる。また、転写ローラー２３の一具体例としては、直径１００ｍｍで、表層のゴム厚が１０ｍｍのゴムローラーが用いられる。
【００１９】
インクジェット画像形成装置１では、転写ベルト２０は、制御部４０の制御信号に基づいて上記の転写モーターが駆動され転写ローラー２３が図１中の時計方向に回転することによって、時計方向に回転される（図中の各矢印参照）。一具体例では、制御部４０の制御の下、転写ベルト２０が６００ｍｍ／秒の速さ（印画速度）で回転するように、転写ローラー２３の回転速度が制御される。
【００２０】
搬送ドラム２４は、円柱面状の外周曲面（搬送面）上に記録媒体Ｐを保持した状態で図１の図面に垂直な方向（以下、「直交方向」と称する）に延びた回転軸の回りで回転することで、記録媒体Ｐを搬送面に沿った搬送方向に搬送する。具体的には、搬送ドラム２４は、搬送ドラムモーター（図示せず）を備え、制御部４０の制御によりかかるモーターが駆動されることにより、図１中の反時計方向に回転する。一具体例では、搬送ドラム２４は、大型（例えば印刷機用３倍胴）の金属製ドラムが用いられる。
【００２１】
一具体例では、上述した転写ベルト２０および搬送ドラム２４は、８００ｍｍの幅すなわち軸方向の長さを有する。
【００２２】
転写ローラー２３は、搬送ドラム２４の上部に対向して配置され、転写ベルト２０を介して搬送ドラム２４を加圧する。また、転写ベルト２０を挟んで、搬送ドラム２４が転写ローラー２３に圧接されることにより、転写ベルト２０から記録媒体Ｐへインク像を転写する転写ニップＮＰが形成される。かかる転写ニップＮＰは、本発明の「転写部」に対応する。
【００２３】
一具体例では、転写ニップＮＰにおける加重ないし圧接力（以下、「転写圧」という）の初期値は、８０Ｎに設定されている。また、転写圧は、制御部４０の制御により、転写ローラー２３が図１中の上下方向に僅かに移動することによって、変更可能となっている。一具体例では、転写ローラー２３の軸が搬送駆動部５１のソレノイド等（図示せず）に連結され、制御部４０の制御の下、かかるソレノイド等が駆動されることにより、転写ローラー２３の軸が図１中の下方または上方向に微小移動して、転写圧を８０Ｎよりも高い又は低い値に変えることができる。かかるソレノイド等は、本発明の「転写圧調整部」に対応する。
【００２４】
ヘッドユニット１０は、転写ベルト２０に対向するインク吐出面に設けられたノズル開口部から転写ベルト２０に対してインクを吐出して画像を転写ベルト２０に担持させる。搬送ドラム２４は、転写ベルト２０に担持された画像が転写ニップＮＰで記録媒体Ｐの所定の位置に転写されるように、記録媒体Ｐを搬送する。
【００２５】
本実施の形態におけるインクジェット記録装置１では、イエロー（Ｙ）、マゼンタ（Ｍ）、シアン（Ｃ）、ブラック（Ｋ）の４色のインクにそれぞれ対応する４つのヘッドユニット１０が転写ベルト２０の回転方向上流側からＹ，Ｍ，Ｃ，Ｋの色の順に所定の間隔で並ぶように配列されている。
【００２６】
各ヘッドユニット１０は、インクジェットヘッド１０２（図２を参照）を備える。インクジェットヘッド１０２には、インクを貯留する圧力室と、圧力室の壁面に設けられた圧電素子と、ノズルとを各々有する複数の記録素子が設けられている。この記録素子は、圧電素子を変形動作させる駆動信号が入力されると、圧電素子の変形により圧力室が変形して圧力室内の圧力が変化し、圧力室に連通するノズルからインクを吐出する。
【００２７】
インクジェットヘッド１０２に含まれるノズルの直交方向についての配置範囲は、搬送ドラム２４により搬送される記録媒体Ｐのうち画像が記録される領域の直交方向の幅をカバーしている。ヘッドユニット１０は、画像の記録時には搬送ドラム２４の回転軸に対して位置が固定されて用いられる。すなわち、インクジェット記録装置１は、シングルパス形式のインクジェット記録装置である。
【００２８】
本実施の形態では、インクジェットヘッド１０２から転写ベルト２０に吐出されるインクとして、転写ベルト２０に供給されるエネルギー量（この例では第１ＵＶ照射部２５から出力される紫外線（ＵＶ：ｕｌｔｒａ ｖｉｏｌｅｔ）の光量）に応じて粘度が変化するインクが用いられる。具体的には、第１ＵＶ照射部２５から照射される紫外線の光量が多いほど、粘度が高くなる性質のインクが用いられる。すなわち、このインクジェット画像形成装置１の画像形成部は、ＵＶ硬化型インクジェット方式を採用している。
【００２９】
第１ＵＶ照射部２５は、転写ニップＮＰよりも上流側における転写ベルト２０に紫外線（以下「ＵＶ光」という。）を照射するように配置されており、制御部４０の制御の下、転写ベルト２０に付着したインクをプレ硬化させる役割を担う。一具体例では、第１ＵＶ照射部２５は、波長３９５ｎｍのＵＶ光を出力するＵＶ光源を備え、通常の印刷ジョブにおける照射強度のデフォルト値が１．５ｍＷ／ｃｍ２とされる。
【００３０】
第２ＵＶ照射部２６は、転写ニップＮＰの下流側に搬送される記録媒体ＰにＵＶ光を照射するように配置されており、制御部４０の制御の下、第１ＵＶ照射部２５によりプレ硬化され転写ニップＮＰにより転写されたインクを本硬化させる役割を担う。一具体例では、第２ＵＶ照射部２６は、波長３９５ｎｍのＵＶ光を出力するＵＶ光源を備え、通常の印刷ジョブにおける照射強度のデフォルト値が５ｍＷ／ｃｍ２とされる。
【００３１】
クリーニング部２７は、従動ローラー２１と転写ローラー２３との間の転写ベルト２０の表面に対向配置され、かかる転写ベルト２０の表面を清掃するドライウェブを備える。クリーニング部２７のドライウェブは、転写ベルト２０に対して離接可能に構成されており、制御部４０の制御により転写ベルト２０に対して当接することにより、転写ベルト２０の表面の残インク等を除去する。
【００３２】
濃度測定センサー３０は、転写ニップＮＰを通過した記録媒体Ｐにおける転写後のインク像の濃度を測定し、該測定した濃度の値を制御部４０に出力する。濃度測定センサー３０の一例として、記録媒体Ｐに光を照射して、反射した光（反射光強度）をレッド、グリーン、ブルーのフィルタを通して測定するフィルタタイプ濃度計を使用することができる。濃度測定センサー３０の他の例として、記録媒体Ｐに光を照射して、反射した光の波長を１から１０ｎｍ位毎に小刻みに分け、各波長の反射光の強度を測定する分光タイプ濃度計を使用することができる。
【００３３】
次に、主として図２を参照して、インクジェット画像形成装置１における他の主要な機能構成を説明する。インクジェット画像形成装置１は、ヘッドユニット１０が有するヘッド駆動部１０１およびインクジェットヘッド１０２と、制御部４０と、搬送駆動部５１と、入出力インターフェース５２とを備える。
【００３４】
ヘッド駆動部１０１は、制御部４０の制御に基づいてインクジェットヘッド１０２の記録素子に対して適切なタイミングで画像データに応じて圧電素子を変形動作させる駆動信号を出力することにより、インクジェットヘッド１０２のノズルから画像データの画素値に応じた量のインクを吐出させる。
【００３５】
制御部４０は、ＣＰＵ４１（Ｃｅｎｔｒａｌ  Ｐｒｏｃｅｓｓｉｎｇ  Ｕｎｉｔ）、ＲＡＭ４２（Ｒａｎｄｏｍ  Ａｃｃｅｓｓ  Ｍｅｍｏｒｙ）、ＲＯＭ４３（Ｒｅａｄ  Ｏｎｌｙ  Ｍｅｍｏｒｙ）および記憶部４４を有する。
【００３６】
ＣＰＵ４１は、ＲＯＭ４３に記憶された各種制御用のプログラムや設定データを読み出してＲＡＭ４２に記憶させ、当該プログラムを実行して各種の演算処理を行う。また、ＣＰＵ４１は、インクジェット画像形成装置１の全体動作を統括制御する。
【００３７】
ＲＡＭ４２は、ＣＰＵ４１に作業用のメモリー空間を提供し、一時データを記憶する。なお、ＲＡＭ４２は、不揮発性メモリーを含んでいてもよい。
【００３８】
ＲＯＭ４３は、ＣＰＵ４１により実行される各種制御用のプログラムや設定データ等を格納する。なお、ＲＯＭ４３に代えて、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリー等の書き換え可能な不揮発性メモリーが用いられてもよい。
【００３９】
記憶部４４には、入出力インターフェース５２を介して外部装置２から入力された印刷ジョブ（印刷枚数などの種々のユーザー設定情報を含む画像形成指示）および当該印刷ジョブに係る画像データが記憶される。記憶部４４としては、例えばＨＤＤ（Ｈａｒｄ  Ｄｉｓｋ  Ｄｒｉｖｅ）が用いられ、また、ＤＲＡＭ（Ｄｙｎａｍｉｃ  Ｒａｎｄｏｍ  Ａｃｃｅｓｓ  Ｍｅｍｏｒｙ）などが併用されてもよい。
【００４０】
搬送駆動部５１は、制御部４０から供給される制御信号に基づいて搬送ドラム２４の搬送ドラムモーターに駆動信号を供給して搬送ドラム２４を所定の速度およびタイミングで回転させる。また、搬送駆動部５１は、制御部４０から供給される制御信号に基づいて転写ローラー２３のモーターに駆動信号を供給して、転写ベルト２０を所定の速度およびタイミングで回転させる。
【００４１】
入出力インターフェース５２は、外部装置２と制御部４０との間のデータの送受信を媒介する。入出力インターフェース５２は、例えば各種シリアルインターフェース、各種パラレルインターフェースのいずれか、または、これらの組み合わせで構成される。
【００４２】
外部装置２は、例えばパーソナルコンピューターであり、入出力インターフェース５２を介して印刷ジョブおよび画像データ等を制御部４０に供給する。
【００４３】
次に、図３のフローチャートを参照して、通常の印刷ジョブの実行時において制御部４０が実行する処理を説明する。
【００４４】
印刷ジョブおよび画像データ等を受信した後のステップＳ１０において、制御部４０は、搬送ドラム２４および転写ローラー２３を駆動して記録媒体Ｐの搬送を開始するように、搬送駆動部５１を制御する。
【００４５】
ステップＳ２０において、制御部４０は、受信された画像データおよびユーザー設定情報に基づいて、当該印画（画像形成）で使用する色のヘッドユニット１０のインクジェットヘッド１０２から、転写ベルト２０（中間転写体）上にインクを吐出するようにヘッド駆動部１０１を制御する。かかる動作により、入力画像データに基づく画像（インク像）が転写ベルト２０上に付着ないし形成（担持）される。
【００４６】
ステップＳ３０において、制御部４０は、転写ベルト２０上のインク像が第１ＵＶ照射部２５の位置に来るタイミングで第１ＵＶ照射部２５の出力（ＵＶ光量）を上述した強度に制御することにより、インク像のプレ硬化工程を実施する。
【００４７】
ステップＳ４０において、制御部４０は、所定のタイミングで記録媒体Ｐを転写ニップＮＰに搬送するように搬送駆動部５１を制御して、転写ベルト２０上でプレ硬化されたインク像を記録媒体Ｐに転写させる。このとき、予め設定された転写圧でインク像が押圧される（転写ニップＮＰで挟持される）ことにより、転写ベルト２０上でプレ硬化したインク像は、プレ硬化後のインク濃度および当該転写圧等に応じて全体的に広がるように記録媒体Ｐに転写される。
【００４８】
ステップＳ５０において、制御部４０は、インク像が転写された記録媒体Ｐが第２ＵＶ照射部２６の位置に来るタイミングで第２ＵＶ照射部２６の出力を制御することにより、インク像の本硬化工程を実施する。この後、記録媒体Ｐは、図示しない排出部に排出される。
【００４９】
ステップＳ６０において、制御部４０は、クリーニング部２７に駆動信号を出力することにより、転写ベルト２０上の残インク等をクリーニングする処理を実行する。
【００５０】
ステップＳ７０において、制御部４０は、印刷ジョブが終了したか否かを判定する。ここで、制御部４０は、未だ印刷ジョブが終了していないと判定した場合（ステップＳ７０、ＮＯ）、ステップＳ１０に戻り、上述したステップＳ１０〜ステップＳ７０の処理を繰り返し実行する。一方、制御部４０は、印刷ジョブが終了したと判定した場合（ステップＳ７０、ＹＥＳ）、一連の処理を終了する。
【００５１】
かくして、中間転写方式のインクジェット画像形成装置では、インクジェットヘッド１０２から吐出するインクの液量を抑えながら、インクを滲ませることなく記録媒体Ｐ上に平滑に広げることができるので、インクの節約を図ることができるメリットがある。
【００５２】
一方、中間転写方式のインクジェット画像形成装置では、使用するインクの種類等により、記録媒体Ｐが転写ニップＮＰを通過する前に、粘度調整部（この例では第１ＵＶ照射部２５）により転写ベルト２０上のインク像の粘度を増加させるプレ硬化の工程が必要となる。
【００５３】
すなわち、転写ベルト２０上のインク像の粘度を高めることなく転写ニップＮＰで記録媒体Ｐに転写しようとすると、インクの種類等によっては、転写ニップＮＰの押圧力によってインクが潰れてしまう（記録媒体Ｐ上で広がり過ぎてしまう）問題がある。このため、本実施の形態のインクジェット画像形成装置１でも、インク像が転写ニップＮＰで転写される前に、第１ＵＶ照射部２５からのＵＶ光の照射によって、転写ベルト２０上のインク像の粘度をある程度増加（増粘）させている。
【００５４】
一方で、かかるプレ硬化の工程では、印刷環境（転写ベルト２０の状態、インクの硬化状態、記録媒体Ｐの種類や転写圧などの転写条件）により、転写状態が変わる。特に、転写ニップＮＰでの転写効率（転写率）が下がると、転写残インクの発生によってインクの損失が増加し、さらには画像濃度の変動により画質が劣化する、等の問題が発生する。
【００５５】
かかる問題に関し、上述のように、転写ベルト２０への転写残インクの量に応じて、転写性向上液の付与量を調整する技術が知られているが、かかる技術では、転写性向上液を付与するため、コスト増の問題がある。
【００５６】
これに対して、本実施の形態では、転写ニップＮＰ（転写部）によりインクが転写される際の転写率を検出し、該検出された転写率に応じて、記録媒体Ｐに転写される際のインクの広がり方に影響を与える制御パラメーターを制御部４０で制御することで、高い転写効率を維持しつつコスト増を抑えるようにした。以下、本発明者らの知見および本発明における解決手段の原理等について説明する。
【００５７】
上述のように、転写ベルト２０を備えた中間転写方式のインクジェット画像形成装置１では、転写ベルト２０上のインク像の転写前に第１ＵＶ照射部２５からＵＶ光を照射してインク粘度を増粘させるプレ硬化の処理が行われる。このプレ硬化の処理において、インクドットの粘度が低すぎる場合（すなわちインク増粘の程度が足りていない場合）には、インクの内部凝集力が弱くなり、転写ニップＮＰで転写される際にインクドットが破断する場合があり、この結果、転写率が低下することが分かった。逆に、プレ硬化の処理において、インクドットの粘度が高すぎる場合（インクが過度に増粘された場合）には、記録媒体Ｐ（用紙等）との密着性が低下するために、やはり転写率が低下することが分かった。
【００５８】
一方、第１ＵＶ照射部２５から出力されるＵＶ光の照射強度を上述したデフォルト値に設定した場合の転写ニップＮＰの転写圧に関しては、以下のような知見を得た。印刷環境の種々の変化等により、第１ＵＶ照射部２５から照射されたＵＶ光により増粘したインクドットの粘度がやや高い場合、転写ニップＮＰの転写圧を高めに設定することで、転写率の低下を防止ないし抑制できる場合があることが分かった。また、第１ＵＶ照射部２５から照射されたＵＶ光により増粘したインクドットの粘度がやや低い場合、転写ニップＮＰの転写圧を低めに設定することで、転写率の低下を防止ないし抑制できる場合があることが分かった。但し、上述のように、照射されたＵＶ光により増粘したインクドットの粘度が高すぎる或いは低すぎる場合には、転写ニップＮＰの転写圧を調整しても転写率の低下を抑制できないことが判明した。
【００５９】
したがって、転写ニップＮＰでの記録媒体Ｐへの転写率を向上させるためには、主として、第１ＵＶ照射部２５から照射するＵＶ光量を制御することにより、転写ニップＮＰで転写される際のインク像の粘度を適切にすることが重要である。特に、インクジェット画像形成装置１における種々の誤差（例えば第１ＵＶ照射部２５のＵＶ光源の劣化や吐出時のインクの温度の変化など）の発生や、記録媒体Ｐのインク吸液性の差などを考慮すると、第１ＵＶ照射部２５から照射するＵＶ光量を適切に制御して、転写時におけるインク粘度（増粘状態）を適正化することが非常に重要であるとの知見を得るに至った。また、転写ニップＮＰにおけるインク像の転写率の善し悪しやインク粘度の適正範囲等は、転写ニップＮＰで転写されたインク像の濃度を計測することにより、特定可能であることが分かった。
【００６０】
かかる知見に鑑みて、本実施の形態では、図１に示すように、転写ニップＮＰで転写されたインク像の濃度を計測する濃度測定センサー３０を設ける。そして、制御部４０は、かかる濃度測定センサー３０の測定値（すなわちインク像の濃度）から転写ニップＮＰでの転写率を推定（検出）し、かかる検出結果に応じて、その後に転写されるインク像の濃度ひいては転写率が所定の基準を満たす（すなわち閾値を超える）ように、次に印字される記録媒体Ｐ（第２の記録媒体）に転写されるインクの粘度またはドット状態（転写条件としての転写圧）を調整する制御を行う。
【００６１】
本実施の形態では、制御部４０は、転写ベルト２０に吐出（担持）され転写ニップＮＰで押圧された（すなわち記録媒体Ｐ上に広げられた）後のインク像の転写率を、濃度測定センサー３０の検知結果に基づいて推定（検出）する。図１に示す例では、濃度測定センサー３０により検知される対象は、転写ニップＮＰによって押圧されて画像が転写された記録媒体Ｐ（第１の記録媒体）上のインクの濃度である。なお、濃度測定センサー３０の検知対象が異なる構成例については後述する。
【００６２】
本実施の形態では、制御部４０は、濃度測定センサー３０による検知結果（インクの濃度）に応じて、次に印字される記録媒体Ｐ（第２の記録媒体）に転写されるインクの転写率が閾値を超えるように、次に印字される記録媒体Ｐ（第２の記録媒体）に転写されるインクの粘度またはドット状態を調整する制御を行う。すなわち、制御部４０は、次に印字される記録媒体Ｐ（第２の記録媒体）に転写されるインクの転写率が所定の基準を満たすように、記録媒体Ｐに転写される際のインクの広がり方に影響を与える制御パラメーターとして、第１ＵＶ照射部２５の出力（ＵＶ光量）または転写ニップＮＰの転写圧を制御する。
【００６３】
図４に、第１ＵＶ照射部２５によって転写前に照射されたＵＶ光量と、濃度測定センサー３０により測定（実測）された転写ニップＮＰ通過後のインク像の濃度との関係をグラフ化して示す。図４の特性グラフにおいて、横軸は第１ＵＶ照射部２５から転写ベルト２０上のインク像（この例ではベタ画像）に照射されたＵＶ光量を示し、縦軸は、濃度測定センサー３０により実測された転写ニップＮＰ通過後の記録媒体Ｐ（用紙）上のベタ画像の濃度を示す。また、点線は、濃度測定センサー３０により実測されたベタ画像の濃度において、転写率が基準値を満たすか否かの境界値ないし閾値としての濃度の値を示す。
【００６４】
図４に示すように、転写率が基準値を満たす（閾値を超える）ためには、濃度測定センサー３０によるインク像の濃度の実測値がピーク点近くまで高くなるように、第１ＵＶ照射部２５から照射されるＵＶ光量を調整する必要がある。ここで、インク像の濃度の実測値と転写率とは、ほぼ比例関係にあり、前者がピーク点になった場合、転写率が最高（最良）になることが分かった。一方で、転写率が基準値を満たすような第１ＵＶ照射部２５からのＵＶ光量（適正範囲）は、ある程度の幅ないし余裕があることが分かる。
【００６５】
したがって、本実施の形態では、濃度測定センサー３０による実測値（濃度）が高くなるように、ＵＶ光量の調整と転写圧の調整とを適宜組み合わせることによって、高い転写率を維持しながら画像品質の向上やユーザーの目的等に応じた画像品質を実現することができる。
【００６６】
なお、図示しないが、転写ニップＮＰの転写圧を変えることによってインク像のドット状態（広がり具合）が変わり、かかるドット状態の変化によっても転写率が変わるものであり、さらには装置の諸条件に応じて、転写圧にも最適値ないし適正範囲があるものと考えられる。このため、第１ＵＶ照射部２５のＵＶ光量および転写ニップＮＰの転写圧の制御が正確に行われない場合、転写ベルト２０に形成されたインク像が転写ニップＮＰで記録媒体Ｐに高い効率で転写することができず、転写率の低下により画像品質が劣化するおそれがある。総じて、中間転写方式のインクジェット画像形成装置１では、転写ニップＮＰでの転写率ひいては画像再現性を確保するために、転写ニップＮＰでインク像が記録媒体Ｐに転写される際の転写圧の調整と、その前段階におけるインク粘度調整と、の両方が重要になる。
【００６７】
これに対して、上述のように、インクジェット画像形成装置１では、インク像の転写に影響を及ぼし得る種々の要因や誤差等が生じ得るものであり、かかる要因や誤差等に関する情報の全てを検知するまたは制御部４０で取得することは困難である。
【００６８】
このため、本実施の形態では、制御部４０は、図３で上述した通常の印刷ジョブの実行時と異なるタイミングにおいて、以下に説明する「転写効率測定モード」の処理を実行し、この処理において第１ＵＶ照射部２５の出力（ＵＶ光量）または転写ニップＮＰの転写圧の設定を変更した場合、変更後の設定値をその後の印刷ジョブに適用して実行する。転写効率測定モードにおける処理の概略は以下の通りである。
【００６９】
転写効率測定モードにおいて、制御部４０は、転写ベルト２０上にテストパターンのインク像（以下、パッチ画像という。）を形成するようにインクジェットヘッド１０２からインクを吐出させる。また、制御部４０は、第１ＵＶ照射部２５の出力（ＵＶ光量）を段階的に変えることで、転写ベルト２０上のパッチ画像を構成するインクの粘度を複数の状態に設定する、言い換えると、パッチ画像のインクの粘度を段階的に高く（または低く）する。
【００７０】
図５に、転写効率測定モードにおいて形成されるパッチ画像の一具体例を示す。図５では、転写ベルト２０から記録媒体Ｐ（用紙）上に転写された後の状態を示している。この例では、記録媒体Ｐの搬送方向（図５中の矢印参照）に直交する幅方向の左側から、Ｙ，Ｍ，Ｃ，Ｋの順で、単色のインクによる互いに同一形状（矩形）のベタ画像Ｉが配列されている。また、これら各色のベタ画像Ｉ（Ｙ，Ｍ，Ｃ，Ｋ；以下、単にパッチ画像Ｉという）は、搬送方向に沿って複数（この例では３つ）配列されている。図５に示す例では、一段目の点線で囲った照射領域Ａ１に対応するパッチ画像Ｉに対しては第１ＵＶ照射部２５から照射されるＵＶ光量を低目とし、二段目の照射領域Ａ２に対応するパッチ画像Ｉに対しては第１ＵＶ照射部２５から照射されるＵＶ光量を中程度とし、三段目の照射領域Ａ３に対応するパッチ画像Ｉに対しては第１ＵＶ照射部２５から照射されるＵＶ光量を高めとするように設定される。このような設定とすることにより、パッチ画像Ｉのインクの粘度を照射領域Ａ１、Ａ２，Ａ３の順に段階的に高くすることができる。なお、この逆すなわちパッチ画像Ｉのインクの粘度を照射領域Ａ１、Ａ２，Ａ３の順に段階的に低くするように、第１ＵＶ照射部２５から照射されるＵＶ光量を設定してもよい。
【００７１】
この後、制御部４０は、濃度測定センサー３０の測定結果から、パッチ画像Ｉが転写された記録媒体Ｐ上のインク濃度ひいては転写率を、照射領域Ａ１、Ａ２，Ａ３毎に特定する。ここで、制御部４０は、特定された照射領域Ａ１、Ａ２，Ａ３のいずれの転写率も所定の基準（図４中の点線および「適正範囲」を参照）を満たさない場合、照射領域Ａ１、Ａ２，Ａ３の少なくとも１つの領域の転写率が当該基準を満たすようになるまで、第１ＵＶ照射部２５の出力（ＵＶ光量）または転写ニップＮＰの転写圧の設定を変更し、変更された設定により、上述したパッチ画像Ｉの形成、転写、および測定を繰り返す。そして、制御部４０は、特定された転写率が所定の基準を満たす場合、かかる基準を満たす第１ＵＶ照射部２５の出力（ＵＶ光量）および転写ニップＮＰの転写圧の設定値（パラメーター）を後の印刷ジョブの実行時における印刷条件として設定する。
【００７２】
本実施の形態では、このような制御を行うことにより、印刷ジョブの実行時において高い転写効率で印刷することができる。
【００７３】
次に、図６に示すフローチャートを参照して、上述した転写効率測定モードにおいて制御部４０が実行する処理の一例について説明する。なお、図６に示すフローチャートは、例えば通常の印刷ジョブの終了後や装置の起動時、あるいはメンテナンス実行時などの際に、転写効率測定モードに移行するためのスイッチ（図示せず）がユーザーにより選択されることで実行される。
【００７４】
転写効率測定モードに移行した後のステップＳ１１０において、制御部４０は、図５で上述した検査用のパッチ画像Ｉに対する第１ＵＶ照射部２５によるＵＶ照射条件（出力）を、出力領域（この例ではＵＶ光の照射領域Ａ１〜Ａ３）毎に変化させ、かつ、転写ニップＮＰの転写圧を一定にするように設定する。この例では、制御部４０は、パッチ画像Ｉの上流側の部分に対応する照射領域Ａ１（図５参照）ではＵＶ出力を低目にし、照射領域Ａ２ではＵＶ出力を中程度とし、照射領域Ａ３ではＵＶ出力を高目とするように、第１ＵＶ照射部２５によるＵＶ照射条件（出力パラメーター）を設定する。かかる設定値は、ＲＡＭ４２または記憶部４４（以下、ＲＡＭ４２等という）に一時的に保存される。
【００７５】
ステップＳ１２０において、制御部４０は、図５で上述したパッチ画像ＩのデータをＲＡＭ４２等から読み出して、かかるパッチ画像Ｉを各々のヘッドユニット１０（インクジェットヘッド１０２）から転写ベルト２０上に印字（吐出）し、搬送ドラム２４で記録媒体Ｐを搬送するように制御する。
【００７６】
ステップＳ１３０において、制御部４０は、転写ベルト２０上のパッチ画像Ｉが第１ＵＶ照射部２５の位置に来るタイミングで上記の設定条件に従って第１ＵＶ照射部２５の出力パラメーターを制御するとともに、記録媒体Ｐを転写ニップＮＰに搬送してパッチ画像Ｉを転写させる。かかる処理により、転写ベルト２０上のパッチ画像Ｉにおいて、照射領域Ａ１，照射領域Ａ２，および照射領域Ａ３に対応するパッチ画像Ｉ（この例ではベタインク像）が互いに異なる粘度になる。具体的には、照射領域Ａ１に対応するインク像が最も低い粘度に硬化し、照射領域Ａ２に対応するインク像が中程度の粘度に硬化し、照射領域Ａ３に対応するインク像が最も高い粘度に硬化する。これらインク像は、転写ニップＮＰにより上記の設定条件による転写圧で押圧されて、４色（ＹＭＣＫ）のパッチ画像Ｉとして記録媒体Ｐに転写される。記録媒体Ｐに転写されたパッチ画像Ｉは、濃度測定センサー３０の検知領域を通り、第２ＵＶ照射部２６による本硬化の処理が行われる（ステップＳ５０参照）。
【００７７】
ステップＳ１４０において、制御部４０は、濃度測定センサー３０による検知信号に基づいて、記録媒体Ｐに転写（押圧）された後のパッチ画像Ｉのインク濃度を、上記の照射領域Ａ１〜Ａ３，およびパッチ画像Ｉの色（ＹＭＣＫ）毎に検出する。この例では、制御部４０は、１２個分、すなわち４色×３領域（Ａ１〜Ａ３）分のインク濃度の値を検出する（図５参照）。一具体例では、制御部４０は、濃度測定センサー３０によるインク濃度の検知結果から、１色かつ１領域分のインク濃度の平均値を求め、かかる平均値を上記１２個のエリアについて各々検出する。
【００７８】
ステップＳ１５０において、制御部４０は、当該検出されたインク濃度の値（この例では各々のエリアの平均値）をＲＡＭ４２等に保存する。
【００７９】
ステップＳ１６０において、制御部４０は、ユーザーによる設定条件を満たすかに否かにより、第１ＵＶ照射部２５および転写圧のプロセス設定を行うか否かを決定する。
【００８０】
ここで、「ユーザーによる設定条件」の一具体例としては、ＲＡＭ４２等に保存されたパッチ画像Ｉの１２エリア分の全てのインク濃度の値（図４の「検出パッチ濃度」参照）が許容範囲（図４の「適正範囲」参照）となることが、Ｎ回（Ｎはユーザー設定値）検出されたことが条件とされる。
【００８１】
ここで、制御部４０は、未だＮ回検出されていないと判定した場合（ステップＳ１６０、ＮＯ）、ステップＳ１１０に戻って、上述したステップＳ１１０〜ステップＳ１６０の処理を繰り返す。この場合、再度のステップＳ１１０において、制御部４０は、上述した１２エリア分の全てのインク濃度の値が許容範囲（適正範囲）内に収まるようなＵＶ照射条件（漸増する出力値）および転写ニップＮＰの転写圧（一定値）を推定し、かかる推定結果による値を設定する。この後のステップＳ１２０〜ステップＳ１６０の処理は、上述と同様である。
【００８２】
なお、制御部４０は、ステップＳ１１０〜ステップＳ１５０の処理をＭ回（ＭはＮよりも大きいユーザー設定値）実行したにもかかわらず、後に印字されたパッチ画像Ｉの１２エリア分のインク濃度の値が許容範囲（図４の点線および「適正範囲」を参照）にならない場合、以下の処理を行う。この場合、制御部４０は、装置の寿命または異常があるものとみなし、その旨および印刷ジョブでの印字される画質の悪化が想定されるため、サービスマン等によるメンテナンス作業を行うようにユーザーに促す表示を行う。
【００８３】
かくして、制御部４０は、ユーザーによる設定条件を満たす（ステップＳ１６０、ＹＥＳ）と判定した場合、ステップＳ１７０に移行する。
【００８４】
ステップＳ１７０において、制御部４０は、本印刷のプロセス（印字設定）を、ＲＡＭ４２等に保存されているＮ回分の検出結果の内、濃度が最高となるＵＶ照射条件（第１ＵＶ照射部２５の出力値）および転写圧に設定して、一連の処理を終了する。
【００８５】
上述のような処理を行う本実施の形態によれば、転写率に影響を及ぼす種々の要因や誤差がある場合であっても、転写性向上液等を使用せずに高い転写効率を維持することができる。したがって、本実施の形態のインクジェット画像形成装置１によれば、低コストにて高い転写効率を維持することができる。
【００８６】
上述した構成例では、濃度測定センサー３０は、転写ニップＮＰを通過してインク像が転写された記録媒体Ｐ上のインク濃度を測定し、該測定結果から転写率を制御部４０で推定ないし特定する構成とした。他の構成例として、濃度測定センサー３０は、転写ニップＮＰの下流側における転写ベルト２０の残インク濃度を測定し、該測定結果から転写率を制御部４０で推定ないし特定する構成としてもよい。この場合、パッチ画像Ｉを転写するために用いる記録媒体Ｐは、転写しにくい材質のものを使用するとよい。また、この場合、制御部４０は、上述したステップＳ１７０で、本印刷のプロセス（印字設定）を、ＲＡＭ４２等に保存されているＮ回分の検出結果の内、残インク濃度が最低となるＵＶ照射条件（第１ＵＶ照射部２５の出力値）および転写圧に設定すればよい。
【００８７】
上述した構成例では、簡明化のため、検出対象となるパッチ画像のパターンの濃度を１種類（すなわち濃度１００％のベタ画像のみ）とした。他の例として、検出対象となるパッチ画像のパターンの濃度を複数にする（例えば７５％や５０％などにする）こととしてもよい。この場合、種々の画像データに対応した、より正確な転写率ひいては第１ＵＶ照射部２５の出力および転写圧を求めることができる。
【００８８】
上述した実施の形態では、インクジェットヘッド１０２から吐出されるインクとして、当該インクに照射される紫外線（第１ＵＶ照射部２５および第２ＵＶ照射部２６から出力されるＵＶ光）に応じて粘度が変わる性質のインクを用いる場合について説明した。
【００８９】
他の例として、ＵＶ光以外の他の活性エネルギー線（例えば電子線）が照射されることによって粘度が増加する性質のインクを用いてもよい。この場合、第１ＵＶ照射部２５および第２ＵＶ照射部２６は、電子線を照射する電子線発生源を備える構成とすればよい。
【００９０】
他の例として、転写ベルト２０に供給する熱量を変えることによって粘度が変わる性質のインクを用いてもよい。例えば、常温でゲル状であり加熱されることによりゾル状となるインクの場合、加熱するに従って粘度が低くなる。この場合、第１ＵＶ照射部２５および第２ＵＶ照射部２６は、ヒーターやハロゲンランプなどの加熱部（熱源）を備える構成とすればよい。
【００９１】
一方、溶媒として水を含むインクを使用する場合、加熱するに従って水が蒸発して粘度が高くなる。この場合、第１ＵＶ照射部２５および第２ＵＶ照射部２６は、上記の加熱部（熱源）や、当該インク中の水を蒸発させるための気流（風）を発生するエアナイフなどの、送風温度を調節することでインク像の転写特性を制御できるものを用いることができる。また、インク中の水を含む溶剤を除去できるものであれば、上記の構成に限らず、他にも例えば、多孔質体をインク像に接触させて水を含む溶剤を吸収する部材や、水を含む溶剤を絞りとるスキージブレード・ローラーなどを用いてもよい。
【００９２】
上述した構成例では、インク濃度ひいては転写率が最大となるように転写条件（すなわち第１ＵＶ照射部２５からのＵＶ光量や転写圧）の設定値を変更しているが、所定の転写効率以上となる範囲内（図４中の「適正範囲」参照）で設定してもよい。その範囲内で、例えば別の機能との関連で設定値を決めてもよい。ここで、別の機能とは、例えば、モノクロまたはグレースケール印刷における黒色（Ｋ）のみの転写率や、フルカラー印刷時における写真画像の色再現性等に着目した設定値などが挙げられる。
【００９３】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９４】
１  インクジェット画像形成装置
１０  ヘッドユニット
２０  転写ベルト（中間転写体）
２１，２２  従動ローラー
２３  転写ローラー
２４  搬送ドラム
２５  第１ＵＶ照射部（粘度調整部）
２６  第２ＵＶ照射部
２７  クリーニング部
３０  濃度測定センサー（転写率検出部）
４０  制御部（転写率検出部）
５１  搬送駆動部
１０２  インクジェットヘッド
Ａ１，Ａ２，Ａ３  ＵＶ光の照射領域
Ｉ（Ｙ），Ｉ（Ｍ），Ｉ（Ｃ），Ｉ（Ｋ）  パッチ画像
ＮＰ  転写ニップ（転写部）
Ｐ  記録媒体（第１の記録媒体、第２の記録媒体）
【図１】
2020131683.tif 000003
【図２】
2020131683.tif 000004
【図３】
2020131683.tif 000005
【図４】
2020131683.tif 000006
【図５】
2020131683.tif 000007
【図６】
2020131683.tif 000008